(57)【要約】【課題】画像形成装置が大型化することを抑制しながら、トナーカートリッジの大容量化を図ることができる画像形成装置を提供する。【解決手段】  画像形成装置１は、開口２Ａを有する筐体２と、カバー３と、ドラムカートリッジ１１と、廃トナー収容器１２３と、トナーカートリッジ８と、現像器１６と、露光装置７とを備える。廃トナー収容器１２３は、感光ドラム５に対してトナーカートリッジ８の反対側に位置する。トナー収容部１５の一部１５Ｅは、露光装置７とカバー３との間に位置し、かつ、露光装置７とカバー３との間に延びる仮想線Ｉと重なる。【選択図】図１
2020160287.tif 000002
【特許請求の範囲】
【請求項１】
開口を有する筐体と、
前記開口を閉じる閉状態と、前記開口が開く開状態とを有するカバーと、
前記カバーが前記開状態の場合に前記開口を通って前記筐体内に装着可能なドラムカートリッジであって、
第１方向に延びる第１軸について回転可能な感光ドラムと、
前記感光ドラムの表面を帯電させる帯電ローラと、
前記感光ドラムの表面をクリーニングするクリーニングブレードと
を備えるドラムカートリッジと、
前記クリーニングブレードによって前記感光ドラムの表面から除去された廃トナーを収容する廃トナー収容器と、
前記ドラムカートリッジに装着可能であり、トナーを収容するトナー収容部を有するトナーカートリッジと、
前記感光ドラムの表面と接触する現像ローラを有する現像器であって、前記トナー収容部のトナーを前記感光ドラムに供給する現像器と、
前記感光ドラムの表面を露光する露光装置と
を備え、
前記廃トナー収容器は、第２方向において、前記感光ドラムに対して前記トナーカートリッジの反対側に位置し、
前記トナー収容部の一部は、前記第２方向において、前記露光装置と前記カバーとの間に位置し、かつ、前記露光装置と前記カバーとの間において前記第２方向に延びる仮想線と重なることを特徴とする、画像形成装置。
【請求項２】
前記トナーカートリッジは、前記現像器を有することを特徴とする、請求項１に記載の画像形成装置。
【請求項３】
前記トナーカートリッジが前記ドラムカートリッジに装着された状態において、前記現像ローラは、前記感光ドラムと接触すること特徴とする、請求項２に記載の画像形成装置。
【請求項４】
前記ドラムカートリッジは、前記現像器を有することを特徴とする、請求項１に記載の画像形成装置。
【請求項５】
前記現像器および前記トナーカートリッジのそれぞれは、互いに独立に、ドラムカートリッジに装着可能であることを特徴とする、請求項１に記載の画像形成装置。
【請求項６】
前記現像器が前記ドラムカートリッジに装着された状態において、前記現像ローラは、前記感光ドラムと接触すること特徴とする、請求項５に記載の画像形成装置。
【請求項７】
前記ドラムカートリッジは、前記廃トナー収容器を有することを特徴とする、請求項１から請求項６のいずれか一項に記載の画像形成装置。
【請求項８】
前記トナーカートリッジは、前記廃トナー収容器を有することを特徴とする、請求項１から請求項６のいずれか一項に記載の画像形成装置。
【請求項９】
前記現像器は、前記第１方向および前記第２方向の両方と交差する第３方向において、前記露光装置よりも前記感光ドラム側に位置することを特徴とする、請求項１から請求項８のいずれか一項に記載の画像形成装置。
【請求項１０】
前記第２方向は、前記第１方向と交差することを特徴とする、請求項１から請求項９のいずれか一項に記載の画像形成装置。
【請求項１１】
前記トナーカートリッジは、前記トナー収容部内に位置するアジテータであって、第１方向に延びる第２軸について回転可能なアジテータを備え、
前記カバーは、
前記トナー収容部の側面を覆う第１部分と、
前記トナー収容部の上面を覆う第２部分と
を備え、
前記第２方向における前記第２部分の先端部は、前記第２方向において、前記第２軸よりも前記露光装置の近くに位置することを特徴とする、請求項１から請求項１０のいずれか一項に記載の画像形成装置。
【請求項１２】
前記トナーカートリッジは、前記トナー収容部内に位置するアジテータであって、第１方向に延びる第２軸について回転可能なアジテータを備え、
前記画像形成装置は、前記カバーとともに前記開口を閉じる第２カバーであって、ヒンジを有する第２カバーを、さらに備え、
前記カバーは、前記トナーカートリッジが前記筐体に装着された状態において、前記トナー収容部の側面を覆い、
前記第２カバーは、前記トナー収容部の上面を覆い、
前記第２カバーの前記ヒンジは、前記第２方向において、前記第２軸よりも前記露光装置の近くに位置することを特徴とする、請求項１から請求項１０のいずれか一項に記載の画像形成装置。
【請求項１３】
前記露光装置は、レーザースキャンユニットであることを特徴とする、請求項１から請求項１２のいずれか一項に記載の画像形成装置。
【請求項１４】
前記レーザースキャンユニットは、前記第２方向における端部に、レーザーが通る通過口を有し、
前記通過口は、前記第２方向において、前記感光ドラムよりも前記トナー収容部の前記一部の近くに位置し、かつ、前記第１方向および前記第２方向の両方と交差する第３方向において、前記感光ドラムよりも前記現像器の上面の近くに位置することを特徴とする、請求項１３に記載の画像形成装置。
【請求項１５】
前記ドラムカートリッジは、転写ローラを備えることを特徴とする、請求項１から請求項１４のいずれか一項に記載の画像形成装置。
【請求項１６】
前記廃トナー収容器は、前記第２方向において、前記転写ローラに対して前記トナーカートリッジの反対側に位置することを特徴とする、請求項１５に記載の画像形成装置。
【発明の詳細な説明】
【技術分野】
【０００１】
本開示は、画像形成装置に関する。
【背景技術】
【０００２】
従来、画像形成装置は、開口を有する筐体と、カバーと、ドラムカートリッジと、現像カートリッジとを備える。ドラムカートリッジは、カバーが開状態の場合に開口を通って筐体内に装着可能である。ドラムカートリッジは、感光ドラムを備える。現像カートリッジは、ドラムカートリッジに装着可能である。現像カートリッジは、現像ローラを備え、トナーを収容する。ドラムカートリッジには、感光ドラムに対して現像カートリッジの反対側に、廃トナー収容部が設けられている（下記特許文献１参照）。
【先行技術文献】
【特許文献】
【０００３】
【特許文献１】特開２０１７−１３８３８７号公報
【発明の概要】
【発明が解決しようとする課題】
【０００４】
上記した特許文献１に記載されるような画像形成装置において、画像形成装置が大型化することを抑制しながら、トナーカートリッジの大容量化を図りたいという要望がある。
【０００５】
そこで、本開示の目的は、画像形成装置が大型化することを抑制しながら、トナーカートリッジの大容量化を図ることができる画像形成装置を提供することにある。
【課題を解決するための手段】
【０００６】
（１）本開示の画像形成装置は、筐体と、カバーと、ドラムカートリッジと、廃トナー収容器と、トナーカートリッジと、現像器と、露光装置とを備える。筐体は、開口を有する。カバーは、閉状態と、開状態とを有する。カバーが閉状態である場合、カバーは、開口を閉じる。カバーが開状態である場合、開口が開く。ドラムカートリッジは、カバーが開状態の場合に開口を通って筐体内に装着可能である。ドラムカートリッジは、感光ドラムと、帯電ローラと、クリーニングブレードとを備える。感光ドラムは、第１軸について回転可能である。第１軸は、第１方向に延びる。帯電ローラは、感光ドラムの表面を帯電させる。クリーニングブレードは、感光ドラムの表面をクリーニングする。廃トナー収容器は、クリーニングブレードによって感光ドラムの表面から除去された廃トナーを収容する。トナーカートリッジは、ドラムカートリッジに装着可能である。トナーカートリッジは、トナー収容部を有する。トナー収容部は、トナーを収容する。現像器は、現像ローラを有する。現像ローラは、感光ドラムの表面と接触する。現像器は、トナー収容部のトナーを感光ドラムに供給する。露光装置は、感光ドラムの表面を露光する。
【０００７】
廃トナー収容器は、第２方向において、感光ドラムに対してトナーカートリッジの反対側に位置する。
【０００８】
トナー収容部の一部は、第２方向において、露光装置とカバーとの間に位置し、かつ、露光装置とカバーとの間において第２方向に延びる仮想線と重なる。
【０００９】
このような構成によれば、トナー収容部の一部は、第２方向において、露光装置とカバーとの間に位置し、かつ、露光装置とカバーとの間において第２方向に延びる仮想線と重なる。
【００１０】
そのため、露光装置とカバーとの間のスペースを利用して、画像形成装置が大型化することを抑制しながら、トナーカートリッジの大容量化を図ることができる。
【００１１】
また、感光ドラムに対してトナーカートリッジの反対側に廃トナー収容器が位置する。
【００１２】
これにより、トナーカートリッジと廃トナー収容器とが感光ドラムに対して同じ側に位置する構成と比べて、トナーカートリッジの周囲にスペースを確保しやすい。
【００１３】
そのため、トナーカートリッジの大容量化を図ることが容易である。
【００１４】
（２）トナーカートリッジは、現像器を有してもよい。
【００１５】
（３）トナーカートリッジがドラムカートリッジに装着された状態において、現像ローラは、感光ドラムと接触してもよい。
【００１６】
（４）ドラムカートリッジは、現像器を有してもよい。
【００１７】
（５）現像器およびトナーカートリッジのそれぞれは、互いに独立に、ドラムカートリッジに装着可能であってもよい。
【００１８】
（６）現像器がドラムカートリッジに装着された状態において、現像ローラは、感光ドラムと接触してもよい。
【００１９】
（７）ドラムカートリッジは、廃トナー収容器を有してもよい。
【００２０】
（８）トナーカートリッジは、廃トナー収容器を有してもよい。
【００２１】
（９）現像器は、第３方向において、露光装置よりも感光ドラム側に位置してもよい。第３方向は、第１方向および第２方向の両方と交差する。
【００２２】
（１０）第２方向は、第１方向と交差する。
【００２３】
（１１）トナーカートリッジは、アジテータを備える。アジテータは、トナー収容部内に位置する。アジテータは、第２軸について回転可能である。第２軸は、第１方向に延びる。カバーは、第１部分と、第２部分とを備えてもよい。第１部分は、トナー収容部の側面を覆う。第２部分は、トナー収容部の上面を覆う。第２方向における第２部分の先端部は、第２方向において、第２軸よりも露光装置の近くに位置してもよい。
【００２４】
このような構成によれば、カバーが開位置である状態において、トナー収容部の側面だけでなく、トナー収容部の上面も、開口から露出させることができる。
【００２５】
そのため、トナーカートリッジを、画像形成装置から容易に取り外すことができる。
【００２６】
（１２）画像形成装置は、第２カバーを、さらに備えてもよい。第２カバーは、カバーとともに開口を閉じる。第２カバーは、ヒンジを有する。カバーは、トナーカートリッジが筐体に装着された状態において、トナー収容部の側面を覆う。第２カバーは、トナー収容部の上面を覆う。第２カバーのヒンジは、第２方向において、第２軸よりも露光装置の近くに位置してもよい。
【００２７】
このような構成によれば、カバーが開位置である状態において、トナー収容部の側面だけでなく、トナー収容部の上面も、開口から露出させることができる。
【００２８】
そのため、トナーカートリッジを、画像形成装置から容易に取り外すことができる。
【００２９】
（１３）露光装置は、レーザースキャンユニットであってもよい。
【００３０】
（１４）レーザースキャンユニットは、第２方向における端部に、レーザーが通る通過口を有する。通過口は、第２方向において、感光ドラムよりもトナー収容部の一部の近くに位置し、かつ、第３方向において、感光ドラムよりも現像器の上面の近くに位置してもよい。
【００３１】
（１５）ドラムカートリッジは、転写ローラを備えてもよい。
【００３２】
（１６）廃トナー収容器は、第２方向において、転写ローラに対してトナーカートリッジの反対側に位置してもよい。
【発明の効果】
【００３３】
本開示の画像形成装置によれば、画像形成装置が大型化することを抑制しながら、トナーカートリッジの大容量化を図ることができる。
【図面の簡単な説明】
【００３４】
【図１】図１は、画像形成装置の概略構成図である。
【図２】図２は、図１に示すカバーが開状態である場合を示す。
【図３】図３は、図２に示すドラムカートリッジおよびトナーカートリッジが画像形成装置から取り外された状態を示す。
【図４】図４は、図２に示すトナーカートリッジが画像形成装置から取り外された状態を示す。
【図５】図５は、第１の変形例を説明する説明図である。
【図６】図６は、第２の変形例を説明する説明図である。
【図７】図７は、第３の変形例を説明する説明図である。
【図８】図８は、第４の変形例を説明する説明図である。
【図９】図９は、第５の変形例を説明する説明図であって、カバーが閉状態であり、かつ、第２カバーが閉状態である場合を示す。
【図１０】図１０は、図９とともに第４の変形例を説明する説明図であって、カバーが開状態であり、かつ、第２カバーが開状態である場合を示す。
【発明を実施するための形態】
【００３５】
１．画像形成装置１の概略
図１から図４を参照して、画像形成装置１の概略について説明する。
【００３６】
図１に示すように、画像形成装置１は、筐体２と、カバー３と、シート供給部４と、感光ドラム５と、帯電ローラ６と、露光装置７と、トナーカートリッジ８と、転写ローラ９と、定着装置１０とを備える。なお、画像形成装置１は、ドラムカートリッジ１１を備える。ドラムカートリッジ１１は、感光ドラム５と、帯電ローラ６と、転写ローラ９とを備える。
【００３７】
１．１  筐体２
筐体２は、シート供給部４と、ドラムカートリッジ１１と、露光装置７と、トナーカートリッジ８と、現像器１６と、定着装置１０とを収容する。筐体２は、開口２Ａ（図２参照）を有する。
【００３８】
１．２  カバー３
図１および図２に示すように、カバー３は、閉状態（図１参照）と、開状態（図２参照）とを有する。図１に示すように、カバー３が閉状態である場合、カバー３は、開口２Ａを閉じる。図２に示すように、カバー３が開状態である場合、開口２Ａが開く。図２および図３に示すように、ドラムカートリッジ１１は、カバー３が開状態の場合に、開口２Ａを通って筐体２内に装着可能である。
【００３９】
１．３  シート供給部４
図１に示すように、シート供給部４は、感光ドラム５にシートＳを供給する。感光ドラム５については後述する。シート供給部４は、シートカセット１２と、ピックアップローラ１３と、搬送ローラ１４とを備える。シートカセット１２は、シートＳを収容する。シートＳは、例えば、印刷用紙である。ピックアップローラ１３は、シートカセット１２内のシートＳをピックアップして、ピックアップしたシートＳを搬送ローラ１４に向かって搬送する。搬送ローラ１４は、ピックアップローラ１３からのシートＳを感光ドラム５に向かって搬送する。
【００４０】
１．４  感光ドラム５
感光ドラム５は、第１軸Ａ１について回転可能である。第１軸Ａ１は、第１方向に延びる。感光ドラム５は、第１軸Ａ１に沿って第１方向に延びる。感光ドラム５は、円筒形状を有する。
【００４１】
１．５  帯電ローラ６
帯電ローラ６は、感光ドラム５の表面と接触する。帯電ローラ６は、感光ドラム５の表面を帯電させる。帯電ローラ６は、第１方向に延びる軸について回転可能である。
【００４２】
１．６  露光装置７
露光装置７は、帯電ローラ６に対して、感光ドラム５の反対側に位置する。具体的には、露光装置７は、レーザースキャンユニットである。露光装置７は、帯電ローラ６と現像ローラ１６Ｃとの間を通るレーザーＬにより、感光ドラム５の表面を露光する。現像ローラ１６Ｃについては、後で説明する。露光装置７は、帯電ローラ６によって帯電された感光ドラム５の表面を露光することにより、感光ドラム５の表面に静電潜像を形成する。
【００４３】
詳しくは、露光装置７は、第２方向に延びる。第２方向は、シートＳが感光ドラム５と転写ローラ９との間を通る方向である。第２方向は、第１方向と交差する。詳しくは、第２方向は、第１方向と直交する。露光装置７は、第２方向において、第１端部Ｅ１と第２端部Ｅ２とを有する。第２端部Ｅ２は、第２方向において、第１端部Ｅ１から離れて位置する。露光装置７は、第２方向における第２端部Ｅ２に、レーザーＬが通る通過口７Ａを有する。
【００４４】
１．７  トナーカートリッジ８
トナーカートリッジ８は、図１に示すように、ドラムカートリッジ１１に装着可能である。トナーカートリッジ８は、図４に示すように、ドラムカートリッジ１１から取り外し可能である。図１に示すように、トナーカートリッジ８は、トナー収容部１５と、現像器１６とを有する。
【００４５】
１．７．１  トナー収容部１５
トナー収容部１５は、ドラムカートリッジ１１に装着された状態で、現像器１６に対して感光ドラム５の反対側に位置する。トナー収容部１５は、収容筐体１５Ａと、供給部１５Ｂと、アジテータ１５Ｃと、オーガスクリュー１５Ｄとを有する。すなわち、トナーカートリッジ８は、アジテータ１５Ｃを有する。
【００４６】
収容筐体１５Ａは、トナーを収容する。これにより、トナー収容部１５は、トナーを収容する。収容筐体１５Ａは、シートＳがＡ４サイズの印刷用である場合に、３０，０００枚のシートＳに印刷可能な量のトナーを収容可能である。
【００４７】
供給部１５Ｂは、収容筐体１５Ａ内のトナーを、現像器１６の現像筐体１６Ａに供給する。供給部１５Ｂは、収容筐体１５Ａから突出する。供給部１５Ｂは、現像器１６の現像筐体１６Ａに取り付けられる。供給部１５Ｂは、内部空間を有する。供給部１５Ｂの内部空間は、収容筐体１５Ａの内部空間と通じる。供給部１５Ｂは、トナーを排出するための排出口１５１を有する。供給部１５Ｂが現像筐体１６Ａに取り付けられた状態で、排出口１５１は、現像筐体１６Ａの受入口１６１と通じる。受入口１６１については、後で説明する。供給部１５Ｂの排出口１５１から排出されたトナーは、受入口１６１を通って、現像筐体１６Ａ内に入る。
【００４８】
アジテータ１５Ｃは、トナー収容部１５内に位置する。詳しくは、アジテータ１５Ｃは、収容筐体１５Ａ内に位置する。アジテータ１５Ｃは、収容筐体１５Ａ内のトナーを、供給部１５Ｂに向かって搬送する。アジテータ１５Ｃは、第２軸Ａ２について回転可能である。第２軸Ａ２は、第１方向に延びる。
【００４９】
オーガスクリュー１５Ｄは、供給部１５Ｂ内に位置する。オーガスクリュー１５Ｄは、供給部１５Ｂ内のトナーを排出口１５１へ搬送する。
【００５０】
１．７．２  現像器１６
図１に示すように、現像器１６は、第２方向において、感光ドラム５とトナー収容部１５との間に位置する。また、現像器１６は、第３方向において、露光装置７よりも感光ドラム５側に位置する。また、現像器１６は、第３方向において、露光装置７よりも転写ローラ９側に位置する。
【００５１】
なお、第３方向は、第１方向および第２方向の両方と交差する。詳しくは、第３方向は、第１方向および第２方向の両方と直交する。露光装置７から感光ドラム５へ向かう方向を、第３方向の一方と定義し、感光ドラム５から露光装置７へ向かう方向を、第３方向の他方と定義する
現像器１６は、トナー収容部１５のトナーを感光ドラム５に供給する。詳しくは、現像器１６は、現像筐体１６Ａと、現像アジテータ１６Ｂと、現像ローラ１６Ｃとを有する。
【００５２】
現像筐体１６Ａは、トナーを収容する。詳しくは、現像筐体１６Ａは、受入口１６１を有する。受入口１６１は、トナー収容部１５の排出口１５１から排出されたトナーを受け入れる。これにより、トナー収容部１５の排出口１５１から排出されたトナーは、受入口１６１を通って現像筐体１６Ａに入る。現像筐体１６Ａは、トナー収容部１５からのトナーを収容する。
【００５３】
現像アジテータ１６Ｂは、現像筐体１６Ａ内に位置する。現像アジテータ１６Ｂは、現像筐体１６Ａ内のトナーを、現像ローラ１６Ｃに向かって搬送する。現像アジテータ１６Ｂは、第１方向に延びる軸について回転可能である。
【００５４】
現像ローラ１６Ｃは、現像筐体１６Ａに支持される。トナーカートリッジ８がドラムカートリッジ１１に装着された状態において、現像ローラ１６Ｃは、感光ドラム５の表面と接触する。現像ローラ１６Ｃは、現像筐体１６Ａ内のトナーを感光ドラム５の表面に供給する。つまり、現像器１６は、トナー収容部１５のトナーを、現像筐体１６Ａ内に収容し、現像ローラ１６Ｃによって感光ドラム５に供給する。
【００５５】
１．８  転写ローラ９
転写ローラ９は、第３方向において、感光ドラム５に対して、帯電ローラ６の反対側に位置する。転写ローラ９は、感光ドラム５と接触する。シート供給部４からのシートＳは、感光ドラム５と転写ローラ９との間を通る。シートＳが感光ドラム５と転写ローラ９との間を通るとき、転写ローラ９は、感光ドラム５の表面からシートＳにトナー像を転写する。
【００５６】
１．９  定着装置１０
定着装置１０は、トナー像が転写されたシートＳを加熱および加圧して、シートＳにトナー像を定着させる。定着装置１０を通過したシートＳは、筐体２の上面に排出される。
【００５７】
２．ドラムカートリッジ１１の詳細
次に、図１および図４を参照して、ドラムカートリッジ１１の詳細について説明する。
【００５８】
図１に示すように、ドラムカートリッジ１１は、上記した感光ドラム５、帯電ローラ６および転写ローラ９に加えて、ドラムフレーム１２１と、クリーニングブレード１２２と、廃トナー収容器１２３とを備える。すなわち、画像形成装置１は、廃トナー収容器１２３を備える。
【００５９】
２．１  ドラムフレーム１２１
ドラムフレーム１２１は、感光ドラム５、帯電ローラ６、転写ローラ９およびクリーニングブレード１２２を支持する。
【００６０】
２．２  クリーニングブレード１２２
クリーニングブレード１２２は、ドラムフレーム１２１に支持される。現像器１６がドラムカートリッジ１１に装着された状態で、クリーニングブレード１２２は、感光ドラム５に対して現像器１６の反対側に位置する。クリーニングブレード１２２は、感光ドラム５の表面をクリーニングする。詳しくは、クリーニングブレード１２２は、第１方向に延びる。クリーニングブレード１２２は、板形状を有する。クリーニングブレード１２２のエッジ１２２Ａは、感光ドラム５の表面に接触する。感光ドラム５が回転すると、感光ドラム５の表面は、クリーニングブレード１２２のエッジ１２２Ａと擦れる。感光ドラム５の表面がクリーニングブレード１２２のエッジ１２２Ａと擦れることにより、感光ドラム５の表面がクリーニングされる。
【００６１】
２．３  廃トナー収容器１２３
図１に示すように、廃トナー収容器１２３は、ドラムフレーム１２１に装着可能である。なお、廃トナー収容器１２３は、ドラムフレーム１２１から取り外し可能である。廃トナー収容器１２３は、廃トナーを収容する。廃トナーとは、クリーニングブレード１２２によって感光ドラム５の表面から除去されたトナーである。廃トナー収容器１２３は、トナー収容部１５のトナーを用いて３０，０００枚のシートＳに印刷した場合に、発生する廃トナーを収容可能である。
【００６２】
図１に示すように、現像器１６がドラムカートリッジ１１に装着された状態で、廃トナー収容器１２３は、第２方向において、感光ドラム５に対して現像器１６の反対側に位置する。また、トナーカートリッジ８がドラムカートリッジ１１に装着された状態で、廃トナー収容器１２３は、第２方向において、感光ドラム５に対してトナーカートリッジ８の反対側に位置する。また、現像器１６がドラムカートリッジ１１に装着された状態で、廃トナー収容器１２３は、第２方向において、転写ローラ９に対して現像器１６の反対側に位置する。また、トナーカートリッジ８がドラムカートリッジ１１に装着された状態で、廃トナー収容器１２３は、第２方向において、転写ローラ９に対してトナーカートリッジ８の反対側に位置する。
【００６３】
３．トナーカートリッジ８の詳細
次に、図１を参照して、トナーカートリッジ８の詳細について説明する。
【００６４】
トナーカートリッジ８のトナー収容部１５の一部１５Ｅは、第３方向において、現像器１６よりも他方側に突出する。
【００６５】
詳しくは、トナー収容部１５の収容筐体１５Ａは、第３方向における一方側の第１端部Ｅ１１と、第３方向における他方側の第２端部Ｅ１２とを有する。供給部１５Ｂは、第３方向において、第１端部Ｅ１１と第２端部Ｅ１２との間に位置する。供給部１５Ｂは、第３方向において、露光装置７よりも感光ドラム５側に位置する。また、供給部１５Ｂは、第３方向において、露光装置７よりも転写ローラ９側に位置する。トナー収容部１５の一部１５Ｅは、収容筐体１５Ａのうち、供給部１５Ｂよりも第３方向の他方側に位置する部分である。すなわち、トナー収容部１５の一部１５Ｅは、収容筐体１５Ａの第２端部Ｅ１２を含む。
【００６６】
そして、カバー３が閉状態である場合に、トナー収容部１５の一部１５Ｅは、第２方向において、露光装置７とカバー３との間に位置し、かつ、トナー収容部１５の一部１５Ｅは、仮想線Ｉと重なる。仮想線Ｉは、露光装置７と、閉状態であるカバー３との間において第２方向に延びる。詳しくは、仮想線Ｉは、露光装置７の第２端部Ｅ２と、閉状態であるカバー３の第１部分３Ａとの間において第２方向に延びる。カバー３の第１部分３Ａについては、後で説明する。
【００６７】
これにより、露光装置７とカバー３との間のスペースを利用して、画像形成装置１が大型化することを抑制しながら、トナーカートリッジ８の大容量化を図ることができる。
【００６８】
４．露光装置７の詳細
図１に示すように、露光装置７の通過口７Ａは、第２方向において、感光ドラム５よりもトナー収容部１５の一部１５Ｅの近くに位置する。言い換えると、通過口７Ａは、第２方向において、感光ドラム５とトナー収容部１５の一部１５Ｅとの間に位置する。また、通過口７Ａは、第２方向において、感光ドラム５と供給部１５Ｂとの間に位置する。
【００６９】
また、通過口７Ａは、第３方向において、感光ドラム５よりも現像器１６の上面Ｓ１１の近くに位置する。また、通過口７Ａは、第３方向において、感光ドラム５よりも供給部１５Ｂの近くに位置する。
【００７０】
５．カバー３の詳細
図１に示すように、カバー３は、第１部分３Ａと、第２部分３Ｂとを備える。
【００７１】
カバー３が閉状態である場合において、第１部分３Ａは、第３方向に延びる。カバー３が閉状態である場合において、第１部分３Ａは、トナー収容部１５の側面Ｓ１を覆う。
【００７２】
第２部分３Ｂは、第１部分３Ａから延びる。カバー３が閉状態である場合において、第２部分３Ｂは、第２方向に延びる。カバー３が閉状態である場合において、第２部分３Ｂは、トナー収容部１５の上面Ｓ２を覆う。第２方向における第２部分３Ｂの先端部３Ｃは、第２方向において、第２軸Ａ２よりも露光装置７の近くに位置する。これにより、図２に示すように、カバー３が開位置である状態において、トナー収容部１５の側面Ｓ１だけでなく、トナー収容部１５の上面Ｓ２も、開口２Ａから露出させることができる。そのため、大容量のトナーカートリッジ８を、画像形成装置１から容易に取り外すことができる。
【００７３】
６．作用効果
画像形成装置１によれば、図１に示すように、トナー収容部１５の一部１５Ｅは、第２方向において、露光装置７とカバー３との間に位置し、かつ、露光装置７とカバー３との間において第２方向に延びる仮想線Ｉと重なる。
【００７４】
そのため、露光装置７とカバー３との間のスペースを利用して、画像形成装置１が大型化することを抑制しながら、トナーカートリッジ８の大容量化を図ることができる。
【００７５】
また、感光ドラム５に対してトナーカートリッジ８の反対側に廃トナー収容器１２３が位置する。
【００７６】
これにより、トナーカートリッジ８と廃トナー収容器１２３とが感光ドラム５に対して同じ側に位置する構成と比べて、トナーカートリッジ８の周囲にスペースを確保しやすい。
【００７７】
そのため、トナーカートリッジ８の大容量化を図ることが容易である。
【００７８】
また、画像形成装置１によれば、図１および図２に示すように、カバー３は、トナー収容部１５の側面Ｓ１を覆う第１部分３Ａと、トナー収容部１５の上面Ｓ２を覆う第２部分３Ｂとを備える。第２方向における第２部分３Ｂの先端部３Ｃは、第２方向において、アジテータ１５Ｃの第２軸Ａ２よりも露光装置７の近くに位置する。
【００７９】
そのため、カバー３が開位置である状態において、トナー収容部１５の側面Ｓ１だけでなく、トナー収容部１５の上面Ｓ２も、開口２Ａから露出させることができる。
【００８０】
そのため、トナーカートリッジ８を、画像形成装置１から容易に取り外すことができる。
【００８１】
７．変形例
次に、図５から図１０を参照して、変形例について説明する。変形例において、上記した実施形態と同様の部材には同様の符号を付し、説明を省略する。
【００８２】
図５に示すように、現像器１６は、トナー収容部１５と一体であってもよい。現像器１６は、トナー収容部１５と仕切られていなくてもよい。この場合、トナー収容部１５は、供給部１５Ｂおよびオーガスクリュー１５Ｄを有さず、収容筐体１５Ａとアジテータ１５Ｃとを有する。収容筐体１５Ａの内部空間は、現像筐体１６Ａの内部空間と通じる。
【００８３】
図６に示すように、ドラムカートリッジ１１は、現像器１６を有してもよい。この場合、トナーカートリッジ８は、トナー収容部１５を有し、現像器１６を有さない。そして、トナーカートリッジ８は、現像器１６とは独立に、ドラムカートリッジ１１に装着可能である。トナーカートリッジ８は、ドラムカートリッジ１１に装着された状態で、現像器１６と接続される。
【００８４】
また、図７に示すように、現像器１６およびトナーカートリッジ８のそれぞれは、互いに独立に、ドラムカートリッジ１１に装着可能であってもよい。この場合、現像器１６がドラムカートリッジ１１に装着された状態において、現像ローラ１６Ｃは、感光ドラム５と接触する。
【００８５】
また、図８に示すように、トナーカートリッジ８は、廃トナー収容器１２３を有してもよい。詳しくは、廃トナー収容器１２３は、フレーム４０によってトナーカートリッジ８と接続されている。廃トナー収容器１２３は、トナーカートリッジ８とともにドラムカートリッジ１１から取り外し可能である。
【００８６】
また、図９に示すように、画像形成装置１は、カバー５１と第２カバー５２とを備えてもよい。
【００８７】
カバー５１は、閉状態（図９参照）と開状態（図１０参照）とを有する。カバー５１は、閉状態である場合、第３方向に延びる。カバー５１は、閉状態である場合、トナー収容部１５の側面Ｓ１を覆う。
【００８８】
第２カバー５２は、カバー５１とともに開口２Ａを閉じる閉状態（図９参照）と、開状態（図１０参照）とを有する。第２カバー５２は、閉状態である場合、第２方向に延びる。第２カバー５２は、閉状態である場合、トナー収容部１５の上面Ｓ２を覆う。
【００８９】
第２カバー５２は、ヒンジ５３を有する。第２カバー５２のヒンジ５３は、第２方向において、第２軸Ａ２よりも露光装置７の近くに位置する。
【００９０】
これらの変形例においても、上記した実施形態と同様の作用効果を得ることができる。
【符号の説明】
【００９１】
１        画像形成装置
２        筐体
２Ａ      開口
３        カバー
３Ａ      第１部分
３Ｂ      第２部分
３Ｃ      先端部
５        感光ドラム
６        帯電ローラ
７        露光装置
７Ａ      通過口
８        トナーカートリッジ
９        転写ローラ
１１      ドラムカートリッジ
１５      トナー収容部
１５Ｅ    一部
１６      現像器
１６Ｃ    現像ローラ
５１      カバー
５２      第２カバー
５３      ヒンジ
１２２    クリーニングブレード
１２３    廃トナー収容器
Ａ１      第１軸
Ａ２      第２軸
Ｉ        仮想線
Ｌ        レーザー
Ｓ        シート
Ｓ１      側面
Ｓ２      上面
Ｓ１１    上面
【図１】
2020160287.tif 000003
【図２】
2020160287.tif 000004
【図３】
2020160287.tif 000005
【図４】
2020160287.tif 000006
【図５】
2020160287.tif 000007
【図６】
2020160287.tif 000008
【図７】
2020160287.tif 000009
【図８】
2020160287.tif 000010
【図９】
2020160287.tif 000011
【図１０】
2020160287.tif 000012